(57)【要約】【課題】各種の物品を構成する生地に、帯状体又は紐状体の留め付け部材を、縫着強度を高く確保した状態で、しかも、縫着手間を最小化できる態様で、縫い付け備えさせることができるようにする。【解決手段】帯状体２又は紐状体の留め付け部材３の主体部５を挿通可能とする挿通部１ａと、挿通部１ａに隣接する延出部１ｂとを備える生地１とを有している。留め付け部材３は、挿通部１ａに主体部５を生地１の内面１ｅ側から挿通させている。生地１の延出部１ｂは、縫着用片部６の裏側に延出部１ｂが位置されるように折り返えされている。縫着用片部６の縫着可能部６ｃと、縫着用片部６の表側に位置される生地１の一部１ｆと、前記折り返しにより縫着用片部６の裏側に位置された延出部１ｂとを、縫着させている。【選択図】図５
2020025712.tif 000002
【特許請求の範囲】
【請求項１】
枠状部内に帯状体又は紐状体の掛け回し部を備えてなる主体部と、縫着用片部とを、前記縫着用片部の表側から前記主体部が突出し、かつ、前記主体部の外縁の外側に前記縫着用片部の縫着可能部が位置されるように一体化させてなる前記帯状体又は紐状体の留め付け部材と、
前記主体部を挿通可能とする挿通部と、前記挿通部に隣接する延出部とを備える生地とを有しており、
前記留め付け部材は、前記挿通部に前記主体部を前記生地の内面側から挿通させており、
前記生地の前記延出部は、前記縫着用片部の裏側に前記延出部が位置されるように折り返えされており、
前記縫着用片部の前記縫着可能部と、前記縫着用片部の表側に位置される前記生地の一部と、前記折り返しにより前記縫着用片部の裏側に位置された前記延出部とを、縫着させてなる、帯状体又は紐状体の留め付け構造。
【請求項２】
前記挿通部を、前記生地に形成された穴としてなる、請求項１に記載の帯状体又は紐状体の留め付け構造。
【請求項３】
前記留め付け部材の前記枠状部の輪郭を実質的に四角形状とすると共に、
少なくとも、前記縫着用片部が、その縁部を、前記枠状部における前記掛け回し部に平行をなす一つの辺部の外方と、前記一つの辺部に隣接した二カ所の辺部の外方にそれぞれ位置させるように、前記縫着用片部を形成させてなる、請求項１又は請求項２に記載の帯状体又は紐状体の留め付け構造。
【請求項４】
請求項１〜請求項３のいずれか１項に記載の留め付け構造を、開口部に備えさせてなる、衣服。
【発明の詳細な説明】
【技術分野】
【０００１】
この発明は、各種の物品を構成する生地に、帯状体又は紐状体の留め付け部材を、縫着強度を高く確保した状態で、しかも、縫着手間を最小化できる態様で、縫い付け備えさせてなる留め付け構造、及び、これを備えた衣服に関する。
【背景技術】
【０００２】
コードロックにおける雌部材に縫着可能な材料からなる縫着用片部を形成させ、この縫着用片部をもって絞り紐や引き締め紐などの紐によって締め込まれる箇所を備えた物品を構成する生地に前記紐に対する留め付けをなすコードロックを縫着により備え付けさせるようにしたものとして、特許文献１に示されるものがある。
【０００３】
このように、コードロックを縫着によって備えさせるようにする場合、縫着強度をできるだけ高く確保すること、および、縫着手間を最小化することが技術的課題とされる。
【先行技術文献】
【特許文献】
【０００４】
【特許文献１】特開２００５−５８５８３号公報
【発明の概要】
【発明が解決しようとする課題】
【０００５】
この発明が解決しようとする主たる問題点は、各種の物品を構成する生地に、帯状体又は紐状体の留め付け部材を、縫着強度を高く確保した状態で、しかも、縫着手間を最小化できる態様で、縫い付け備えさせることができるようにする点にある。
【課題を解決するための手段】
【０００６】
前記課題を達成するために、この発明にあっては、第一の観点から、帯状体又は紐状体の留め付け構造を、枠状部内に帯状体又は紐状体の掛け回し部を備えてなる主体部と、縫着用片部とを、前記縫着用片部の表側から前記主体部が突出し、かつ、前記主体部の外縁の外側に前記縫着用片部の縫着可能部が位置されるように一体化させてなる前記帯状体又は紐状体の留め付け部材と、
前記主体部を挿通可能とする挿通部と、前記挿通部に隣接する延出部とを備える生地とを有しており、
前記留め付け部材は、前記挿通部に前記主体部を前記生地の内面側から挿通させており、
前記生地の前記延出部は、前記縫着用片部の裏側に前記延出部が位置されるように折り返えされており、
前記縫着用片部の前記縫着可能部と、前記縫着用片部の表側に位置される前記生地の一部と、前記折り返しにより前記縫着用片部の裏側に位置された前記延出部とを、縫着させてなる、ものとした。
【０００７】
かかる留め付け構造によれば、各種の物品を構成する生地に、帯状体又は紐状体の留め付け部材を、縫着強度を高く確保した状態で、しかも、縫着手間を最小化できる態様で、縫い付け備えさせることができる。すなわち、留め付け部材は、その縫着用片部を、前記縫着用片部の表側に位置される前記生地の一部と、前記折り返しにより前記縫着用片部の裏側に位置された前記延出部との間に挟んだ状態で、これらと縫着一体化されていることから、生地に対する留め付け部材の縫着強度を高く確保することができる。具体的には、留め付け用部材に留め付けられた帯状体又は紐状体に作用される張力により、留め付け用部材と生地との縫着箇所に作用される力によってその縫着状態が損なわれる事態を長期に亘り防止することができる。また、前記縫着可能部に対する一条の縫い目の形成により、留め付け部材と生地とを強固に一体化させることができ、縫着手間は最小であり、前記生地から構成される各種物品の製造工数の最小化にも資する。
【０００８】
前記挿通部を、前記生地に形成された穴とすることが、この発明の態様の一つとされる。
【０００９】
また、前記留め付け部材の前記枠状部の輪郭を実質的に四角形状とすると共に、
少なくとも、前記縫着用片部が、その縁部を、前記枠状部における前記掛け回し部に平行をなす一つの辺部の外方と、前記一つの辺部に隣接した二カ所の辺部の外方にそれぞれ位置させるように、前記縫着用片部を形成させておくことが、この発明の態様の一つとされる。
【００１０】
また、前記課題を達成するために、この発明にあっては、第二の観点から、衣服を、前記留め付け構造を、開口部に備えさせてなる、ものとした。
【発明の効果】
【００１１】
この発明によれば、各種の物品を構成する生地に、帯状体又は紐状体の留め付け部材を、縫着強度を高く確保した状態で、しかも、縫着手間を最小化できる態様で、縫い付け備えさせることができる。
【図面の簡単な説明】
【００１２】
【図１】図１は、この発明の一実施の形態にかかる留め付け構造を構成する留め付け部材の斜視図であり、留め付け部材をその表側から見て示しており、（ｂ）図は（ａ）図と反対側から留め付け部材を見て示している。
【図２】図２は、前記留め付け部材の斜視図であり、留め付け部材をその裏側から見て示しており、（ｂ）図は（ａ）図と反対側から留め付け部材を見て示している。
【図３】図３は、留め付け部材と生地とを組み合わせる前の状態において並び表した正面図である。
【図４】図４は、留め付け部材の主体部を生地の挿通部に生地の内面側から挿通した状態を表した正面図である。
【図５】図５は、図４の状態から生地の延出部を折り返し、縫着により生地側に前記留め付け部材を止着させた留め付け構造の正面図であり、図８の要部拡大図でもある。
【図６】図６は、図５における要部断面図である。
【図７】図７は、図６の留め付け部材に帯状体を挿通・留め付けた様子を示した断面図である。
【図８】図８は、前記留め付け構造を開口部に備えてなる衣服の要部斜視図である。
【発明を実施するための形態】
【００１３】
以下、図１〜図８に基づいて、この発明の典型的な実施の形態について、説明する。この実施の形態にかかる帯状体２又は紐状体（紐状体の図示は省略する。）の留め付け構造は、各種の物品を構成する生地１に、帯状体２又は紐状体の留め付け部材３を、縫着強度を高く確保した状態で、しかも、縫着手間を最小化できる態様で、縫い付け備えさせてなるものである。
【００１４】
前記生地１としては、前記留め付け部材３が縫着可能な面状体、典型的には布地が予定される。
【００１５】
前記留め付け部材３は、後述の縫着可能部を前記生地１に工業用ミシンなどにより縫着可能とする材料、典型的には、合成樹脂から構成される。
【００１６】
前記留め付け部材３は、主体部５と、縫着用片部６とを備えている。
【００１７】
主体部５は、枠状部８内に帯状体２又は紐状体の掛け回し部９を備えてなる。掛け回し部９によって枠状部８の内部は二つに区分されている。
【００１８】
図示の例では、枠状部８は、第一バー１０と、第二バー１１と、一対の側壁１２とから構成されている。一対の側壁１２の一端側において、一対の側壁１２間に第一バー１０が架設されている。また、一対の側壁１２の他端側において、一対の側壁１２間に第二バー１１が架設されている。また、一対の側壁１２によって、枠状部８の厚みが形成されている。
【００１９】
一対の側壁１２は、その連続方向中程の中間位置１２ａと第一バー１０側の架設側の前端１２ｂとの間を、前端１２ｂ側から中間位置１２ａに近づくに連れて枠状部８の厚さを漸増させるように形成されている。具体的には、枠状部８の裏側８ｂに位置される側壁１２の裏側縁１２ｄは、図６において符号Ｓ１で示す仮想の第一平面に沿っているが、枠状部８の表側に位置される側壁１２の表側縁１２ｅは、前記中間位置１２ａと第二バー１１の架設側の後端１２ｃとの間では前記仮想の第一平面Ｓ１の表側に位置されるこの第一平面Ｓ１に平行な仮想の第二平面Ｓ２に沿っているが、中間位置１２ａと前端１２ｂとの間では前端１２ｂ側に向かうに連れて第二平面Ｓ２との距離を漸増させる傾斜を持つようになっている。
【００２０】
前記第一バー１０は、前記第一平面Ｓ１に向き合う裏面１０ｂと、前記第二平面Ｓ２に向き合う表面１０ａとを備えた板状を呈している。
【００２１】
掛け回し部９は、棒状を呈しており、前記第一バー１０と前記第二バー１１との間において、前記一対の側壁１２間に架設されている。
【００２２】
枠状部８の裏側８ｂに向けられた掛け回し部９の裏面９ａは、第一バー１０の表面１０ａと実質的に同じレベルに位置されている。枠状部８の表側８ａに向けられた掛け回し部９の表面９ｂは前記第二平面Ｓ２に平行をなしている。掛け回し部９の表面９ｂと裏面９ａとの間に位置される第一バー１０側に臨んだ側面９ｃと、前記表面９ａとが形成する隅部９ｄと、第一バー１０との間の距離ｚは、側壁１２の連続方向においては、掛け回し部９に掛け回される帯状体２の厚さと実質的に等しくなっている（図６参照）。
【００２３】
図示の例では、枠状部８の裏側８ｂから掛け回し部９と第二バー１１との間に通して枠状部８の表側８ａに引き出した帯状体２を、掛け回し部９と第一バー１０との間から再び枠状部８の裏側８ｂに引き出すようにして、帯状体２を掛け回し部９に掛け回すことができるようになっている（図７）。帯状体２の引き出し側２ａは、帯状体２の引き込み側２ｂと第一バー１０の裏面１０ｂとの間に挟まれ、かつ、掛け回し部９の前記隅部９ｄが帯状体２に突き立てられる（図７）。これにより、帯状体２に張力が加われば加わるほど帯状体２に対する留め付け部材３の留め付け力が大きくなるようになっている。留め付け部材３からの帯状体２の引き出し寸法を可変することで、帯状体２に対する留め付け部材３の留め付け位置を調整することができる。
【００２４】
図８に示されるように、衣服４の開口部４ａを挟んだ一方側に帯状体２を備えさせ、この帯状体２を前記開口部４ａを挟んだ他方側に備えられた留め付け部材３の枠状部８内に挿通できるようにすれば、前記帯状体２の前記留め付け部材３からの引き出し寸法を可変することで、前記開口部４ａを拡げ、あるいは、絞ることが可能となる。図８中符号４ｂは前記生地１により構成された衣服４の袖であり、符号４ｃは衣服４の開口部４ａとしての袖口、符号４ｄは袖口４ｃを分断するスリットである。スリット４ｄを挟んだ一方側に帯状体２の一端が止着されている。スリット４ｄを挟んだ他方側に後述のようにして留め付け部材３が備え付けられている。
【００２５】
縫着用片部６は、表面６ａと、裏面６ｂとを備えている。縫着用片部６と、前記主体部５とは、前記縫着用片部６の表側から前記主体部５が突出し、かつ、前記主体部５の外縁の外側に前記縫着用片部６の縫着可能部６ｃが位置されるように一体化されている。
【００２６】
図示の例では、縫着用片部６は、仮想の四角形の各辺に沿った四つの縁部６ｄを有している。一方、前記枠状部８の輪郭は、実質的に四角形状を呈している。そして、図示の例では、前記縫着用片部６が、その縁部６ｄを、前記枠状部８における前記掛け回し部９に平行をなす一つの辺部（図示の例では前記第二バー１１による構成される辺部５ａ）の外方と、前記一つの辺部に隣接した二カ所の辺部（図示の例では前記側壁１２により構成される辺部５ｂ）の外方にそれぞれ位置させるように形成されている。
【００２７】
具体的には、前記縫着用片部６の四つの縁部６ｄのうちの図１中符号６ｅで示される左右方向ｘにある縁部の一方が、前記枠状部８における前記第二バー１１による構成される辺部５ａの外方に位置され、
前記縫着用片部６の四つの縁部６ｄのうちの図１中符号６ｆで示される前後方向ｙにある縁部がぞれぞれ、前記枠状部８における前記側壁１２による構成される辺部５ｂの外方に位置されている。
【００２８】
すなわち、前記縫着用片部６は、主体部５の枠状部８の外面部から外側に突き出すひれ状を呈している。
【００２９】
図示の例では、主体部５は、第一バー１０の側を、縫着用片部６の左右方向ｘにある縁部の他方６ｇから外方に突き出させるようにして、縫着用片部６と一体化されている。また、主体部５は、側壁１２の裏側縁１２ｄを縫着用片部６の表面６ａに一体化させるようにして、縫着用片部６と一体化されている。第二バー１１は、縫着用片部６の表面６ａからこれに直交する向きに突き出す立ち上がり部状を呈している。
【００３０】
図示の例では、縫着用片部６における左右方向ｘにある縁部の一方６ｅと主体部５の第二バー１１との間、縫着用片部６における前後方向にある縁部の一方６ｆと主体部５の側壁１２の一方との間、および、縫着用片部６における前後方向にある縁部の他方６ｆと主体部５の側壁１２の他方との間が、薄肉の板状を呈しており、これらの箇所が前記縫着可能部６ｃとなっている。
【００３１】
一方、前記生地１は、前記主体部５を挿通可能とする挿通部１ａと、前記挿通部１ａに隣接する延出部１ｂとを備えている。
【００３２】
図示の例では、前記挿通部１ａは、前記生地１に形成された、実質的に四角形の穴となっている。
【００３３】
前記挿通部１ａは、前記主体部５を通し抜けさせるが、前記縫着用片部６は通し抜けさせない大きさに形成されている。
【００３４】
図示の例では、前記生地１の端側に前記挿通部１ａが形成されている。延出部１ｂは舌片状の輪郭を持っている。挿通部１ａは、延出部１ｂを挟んだ両側にある生地１の縁を通る仮想の直線Ｌよりも生地１の中心側１ｄに位置される領域と、延出部１ｂの基部１ｃ側とに亘って、つまり、前記仮想の直線Ｌにまたがって、形成されている（図３）。
【００３５】
そして、前記留め付け部材３は、前記挿通部１ａに前記主体部５を前記生地１の内面１ｅ側から挿通させている。
【００３６】
また、前記生地１の前記延出部１ｂは、前記縫着用片部６の裏側に前記延出部１ｂが位置されるように折り返えされている。図示の例では、延出部１ｂは、前記仮想の直線Ｌに沿って折り返されている。図示の例では、折り返されて延出部１ｂを挟んだ両側にある生地１の縁と連続するようになった延出部１ｂの基部１ｃが前記袖口４ｃを分断するスリット４ｄの他方側の縁部４ｅとなっている（図８）。
【００３７】
そして、この実施の形態にあっては、前記縫着用片部６の前記縫着可能部６ｃと、前記縫着用片部６の表側に位置される前記生地１の一部１ｆと、前記折り返しにより前記縫着用片部６の裏側に位置された前記延出部１ｂとを、縫着させている。
【００３８】
図示の例では、縫着用片部６における左右方向ｘにある縁部の一方６ｅと主体部５の第二バー１１との間に、前記第二バー１１、つまり、掛け回し部９と実質的に平行をなす一条の縫い目７を形成させることで、留め付け部材３を生地１に縫い付けさせている。図示の例では、挿通部１ａは前記仮想の直線Ｌにまたがって形成されていることから、前記スリット４ｄの他方側の縁部４ｅより前方に主体部５の第一バー１０側を突き出させた態様で生地１に留め付け部材３が縫い付けられる（図８）。
【００３９】
この実施の形態にかかる留め付け構造によれば、各種の物品を構成する生地１に、帯状体２又は紐状体の留め付け部材３、図示の例では、帯状体２の留め付け部材３を、縫着強度を高く確保した状態で、しかも、縫着手間を最小化できる態様で、縫い付け備えさせることができる。すなわち、留め付け部材３は、その縫着用片部６を、前記縫着用片部６の表側に位置される前記生地１の一部１ｆと、前記折り返しにより前記縫着用片部６の裏側に位置された前記延出部１ｂとの間に挟んだ状態で、これらと縫着一体化されていることから、生地１に対する留め付け部材３の縫着強度を高く確保することができる。具体的には、留め付け用部材に留め付けられた帯状体２又は紐状体に作用される張力、図示の例では、衣服４に作用される前記スリットを拡げる向きの外力により、留め付け部材３と生地１との縫着箇所に作用される力によってその縫着状態が損なわれる事態を長期に亘り防止することができる。また、前記縫着可能部６ｃに対する一条の縫い目７の形成により、具体的には、前記掛け回し部９に平行をなす向きの一条の縫い目７の形成により、留め付け部材３と生地１とを強固に一体化させることができ、縫着手間は最小であり、前記生地１から構成される各種物品の製造工数の最小化にも資する。
【００４０】
なお、当然のことながら、本発明は以上に説明した実施態様に限定されるものではなく、本発明の目的を達成し得るすべての実施態様を含むものである。
【符号の説明】
【００４１】
１  生地
１ａ  挿通部
１ｂ  延出部
１ｅ  内面
１ｆ  生地１の一部
２  帯状体
３  留め付け部材
５  主体部
６  縫着用片部
６ｃ  縫着可能部
【図１】
2020025712.tif 000003
【図２】
2020025712.tif 000004
【図３】
2020025712.tif 000005
【図４】
2020025712.tif 000006
【図５】
2020025712.tif 000007
【図６】
2020025712.tif 000008
【図７】
2020025712.tif 000009
【図８】
2020025712.tif 000010